(57)【要約】【課題】顔面装着具を顔面に装着した状態においても、ベルトの長さ調節の操作がし易く、しかもベルトの長さの正確な調節、及びベルトの長さの微調節が簡単にできるようにした顔面装着具のベルト長さ調節機構を提供する。【解決手段】ベルト２に外装部材３を装着し、この外装材３に、線材４を巻き込んだり、解き出したりして、その線材４の長さを調節することにより、前記ベルト２を外装部材３に引き込んだり、外装部材３から引き出せるようにした操作部材５を設置したものとしている。【選択図】図１
2014155591.tif 000002
【特許請求の範囲】
【請求項１】
ベルト（２）に外装部材（３）を装着し、この外装材（３）に、線材（４）を巻き込んだり、解き出したりして、その線材（４）の長さを調節することにより、前記ベルト（２）を外装部材（３）に引き込んだり、外装部材（３）から引き出せるようにした操作部材（５）を設置したことを特徴とする顔面装着具のベルト長さ調節機構。
【請求項２】
前記ベルト（２）は、ベルト（２ａ）とベルト（２ｂ）の二分割体としたものとしていることを特徴とする請求項１記載の顔面装着具のベルト長さ調節機構。
【請求項３】
前記線材（４）は、一方向に略Ｕ字状に配線したものとしており、前記線材（４）の略Ｕ字状折返し端部（４ａ）を前記ベルト（２ａ）の一端部に設けた掛体（７）に掛架していることを特徴とする請求項２記載の顔面装着具のベルト長さ調節機構。
【請求項４】
前記線材（４）は、一方向に略直線状に一本、配線したものとしており、前記線材（４）の一端部（４ｂ）を前記ベルト（２ａ）の一端部に連結していることを特徴とする請求項２記載の顔面装着具のベルト長さ調節機構。
【請求項５】
前記線材（４）は、一方向に略直線状に二本、配線したものとしており、前記線材（４）のそれぞれの一端部（４ｂ）を前記ベルト（２ａ）の一端部にそれぞれ連結していることを特徴とする請求項２記載の顔面装着具のベルト長さ調節機構。
【請求項６】
前記線材（４）は、対向する二方向に略直線状に一本ずつ配線したものとしており、前記線材（４）のそれぞれの一端部（４ｂ）を前記ベルト（２ａ、２ｂ）の一端部にそれぞれ連結していることを特徴とする請求項２記載の顔面装着具のベルト長さ調節機構。
【請求項７】
前記線材（４）は、対向する二方向に略Ｕ字状に配線したものとしており、前記一方向の線材（４）の略Ｕ字状折返し端部（４ａ）を前記ベルト（２ａ）の一端部に設けた掛体（７）に掛架し、この線材（４）の一端部（４ｂ）を前記外装部材（３）の操作部材（５）寄りに固定し、前記もう一方向の線材（４）の略Ｕ字状折返し端部（４ａ）を前記ベルト（２ｂ）の一端部に設けた掛体（７）に掛架し、この線材（４）の一端部（４ｂ）を前記外装部材（３）の操作部材（５）寄りに固定していることを特徴とする請求項２記載の顔面装着具のベルト長さ調節機構。
【請求項８】
前記線材（４）は、対向する二方向に略Ｕ字状に配線したものとしており、前記一方向の線材（４）の略Ｕ字状折返し端部（４ａ）を前記ベルト（２ａ）の一端部に設けた掛体（７）に掛架し、前記もう一方向の線材（４）の略Ｕ字状折返し端部（４ａ）を前記ベルト（２ｂ）の一端部に設けた掛体（７）に掛架していることを特徴とする請求項２記載の顔面装着具のベルト長さ調節機構。
【請求項９】
前記線材（４）は、対向する二方向に略直線状に二本ずつ配線したものとしており、前記線材（４）のそれぞれの一端部（４ｂ）を前記ベルト（２ａ、２ｂ）の一端部にそれぞれ連結していることを特徴とする請求項２記載の顔面装着具のベルト長さ調節機構。
【請求項１０】
前記線材（４）は、対向する二方向に略Ｕ字状に配線したものとしており、前記一方向の線材（４）の略Ｕ字状折返し端部（４ａ）を前記ベルト（２）の一端部に設けた掛体（７）に掛架し、前記もう一方向の線材（４）の略Ｕ字状折返し端部（４ａ）を前記ベルト（２）のもう一端部に設けた掛体（７）に掛架していることを特徴とする請求項１記載の顔面装着具のベルト長さ調節機構。
【請求項１１】
前記線材（４）は、対向する二方向に略直線状に二本ずつ配線したものとしており、前記一方向の線材（４）のそれぞれの一端部（４ｂ）を前記ベルト（２）の一端部に連結し、前記もう一方向の線材（４）のそれぞれの一端部（４ｂ）を前記ベルト（２）のもう一端部に連結していることを特徴とする請求項１記載の顔面装着具のベルト長さ調節機構。
【請求項１２】
前記操作部材（５）は、本体（５ａ）内部にプーリ（８）を備えたものとし、このプーリ（８）を本体（５ａ）外部に備えたノブ（９）により時計回り、又は反時計回りに回転させることにより、前記線材（４）をプーリ（８）に巻き込んだり、プーリ（８）から解き出したりして、その線材（４）の長さを調節するものとしていることを特徴とする請求項１〜１１の何れかに記載の顔面装着具のベルト長さ調節機構。
【請求項１３】
前記操作部材（５）は、本体（５ａ）に設けた丸形ラチェット歯（１０ａ）とノブ（９）に設けた爪（１０ｂ）とからなるラチェット機構（１０）を備えていることを特徴とする請求項１２記載の顔面装着具のベルト長さ調節機構。
【発明の詳細な説明】
【技術分野】
【０００１】
この発明は、スキー、水泳などのスポーツをするときや、オートバイの運転などをするときに着用するゴーグル、塵埃等の有害物質の侵入を防止するために使用する防塵マスクを始めとする各種の顔面装着具のベルト長さ調節機構に関するものである。
【背景技術】
【０００２】
従来、この種の顔面装着具においては、例えば図１３、１４に示したように、ゴーグル本体１１に左右一対のベルト１２ａ、１２ｂが装着され、これらベルト１２ａ、１２ｂにそれぞれベルトの長さを調節自在とした止着体１３ａ、１３ｂを備えたゴーグルが存在する。これら止着体１３ａ、１３ｂは、前記ベルト１２ａ、１２ｂの筒状部１５ａ、１５ｂを形成した先端が挿通可能な環状部１６と、この環状部１６の両側からベルト長手方向に向かって伸びる一対の延在部１７ａ、１７ｂと、これら延在部からベルトの幅方向に向かって対向して伸びる一対の係止部１８ａ、１８ｂと、これら係止部の端部間に形成された開口部１９を有するものとしている（特許文献１）。
【０００３】
このようにしたゴーグルは、ベルトの長さを調節する場合には、例えば一方の止着体１３ａを一方のベルト１２ａに沿って任意の位置に移動させると、もう一方のベルト１２ｂが弛んだ状態となるから、この状態でもう一方の止着体１３ｂをそのベルト１２ｂに沿って移動させると弛みがなくなり、ベルトの長さを簡単に調節することができるとしている。
【０００４】
さらに、この種の顔面装着具においては、例えば図１５、１６に示したように、フレーム２１にベルト部２２を備えており、このフレーム２１には前記ベルト部２２を係合するための係合部２３を別体又は一体として具備したゴーグルが存在する。前記ベルト部２２には、係合部２３と係合する複数の突起部２４が設けられている。前記係合部２３には、ベルト部２２を差し込む挿入孔２５と前記ベルト部２２の突起部２４を嵌め込む嵌入溝２６が形成されている。そして、前記ベルト部２２において、前記突起部２４は、ベルト部２２の幅方向に形成されたものとしている（特許文献２）。
【０００５】
このようにしたゴーグルは、ベルト部２２の長さ調節時には、係合部２３の挿入孔２５から差し込んだベルト部２２の突起部２４が嵌入溝２６から外れる方向に操作すると、固定状態を解除しベルト部２２をずらすことができるので、装着時に従来のような力を必要としないとしている。
【先行技術文献】
【特許文献】
【０００６】
【特許文献１】実用新案登録第３１４２２２７号公報
【特許文献２】特許第４５７７５４７号公報
【発明の概要】
【発明が解決しようとする課題】
【０００７】
しかしながら、上記したような顔面装着具では、ベルトの長さ調節は、顔面装着具を顔面から取り外した状態においては、操作し易いものとなっているが、顔面装着具を顔面に装着した状態においては、それほど操作し易いものとなっているとはいえない。
【０００８】
すなわち、上記したような顔面装着具では、止着体１３ａ、１３ｂ又は係合部２３を一方の手で持ち、ベルト１２ａ、１２ｂ又はベルト部２２をもう一方の手で持たないとベルトの長さの調節が行えないため、顔面装着具を顔面から取り外した状態においては、操作し易いものとなっているが、顔面装着具を顔面に装着した状態においては、操作し難いという課題を有していた。
【０００９】
さらに、上記したような顔面装着具では、勘に頼って止着体１３ａをベルト１２ａに沿って任意の位置に移動させることによりベルトの長さ調節を行うため、ベルトの長さの正確な調節が行えないという課題を有していた。
【００１０】
また、上記したような顔面装着具では、ベルト部２２に設けられた複数の突起部２４を係合部２３に順送りに係合させていかなければならず、ベルトの長さの微調節を簡単にできないという課題を有していた。
【００１１】
そこで、この発明は、顔面装着具を顔面に装着した状態においても、ベルトの長さ調節の操作がし易く、しかもベルトの長さの正確な調節、及びベルトの長さの微調節が簡単にできるようにした顔面装着具のベルト長さ調節機構を提供することを目的としてなされたものである。
【課題を解決するための手段】
【００１２】
この発明の顔面装着具のベルト長さ調節機構は、ベルト２に外装部材３を装着し、この外装材３に、線材４を巻き込んだり、解き出したりして、その線材４の長さを調節することにより、前記ベルト２を外装部材３に引き込んだり、外装部材３から引き出せるようにした操作部材５を設置したものとしている。
【００１３】
この発明の顔面装着具のベルト長さ調節機構において、前記ベルト２は、ベルト２ａとベルト２ｂの二分割体としたものとしている。
【００１４】
この発明の顔面装着具のベルト長さ調節機構において、前記線材４は、一方向に略Ｕ字状に配線したものとしており、前記線材４の略Ｕ字状折返し端部４ａを前記ベルト２ａの一端部に設けた掛体７に掛架している。
【００１５】
この発明の顔面装着具のベルト長さ調節機構において、前記線材４は、一方向に略直線状に一本、配線したものとしており、前記線材４の一端部４ｂを前記ベルト２ａの一端部に連結している。
【００１６】
この発明の顔面装着具のベルト長さ調節機構において、前記線材４は、一方向に略直線状に二本、配線したものとしており、前記線材４のそれぞれの一端部４ｂを前記ベルト２ａの一端部にそれぞれ連結している。
【００１７】
この発明の顔面装着具のベルト長さ調節機構において、前記線材４は、対向する二方向に略直線状に一本ずつ配線したものとしており、前記線材４のそれぞれの一端部４ｂを前記ベルト２ａ、２ｂの一端部にそれぞれ連結している。
【００１８】
この発明の顔面装着具のベルト長さ調節機構において、前記線材４は、対向する二方向に略Ｕ字状に配線したものとしており、前記一方向の線材４の略Ｕ字状折返し端部４ａを前記ベルト２ａの一端部に設けた掛体７に掛架し、この線材４の一端部４ｂを前記外装部材３の操作部材５寄りに固定し、前記もう一方向の線材４の略Ｕ字状折返し端部４ａを前記ベルト２ｂの一端部に設けた掛体７に掛架し、この線材４の一端部４ｂを前記外装部材３の操作部材５寄りに固定している。
【００１９】
この発明の顔面装着具のベルト長さ調節機構において、前記線材４は、対向する二方向に略Ｕ字状に配線したものとしており、前記一方向の線材４の略Ｕ字状折返し端部４ａを前記ベルト２ａの一端部に設けた掛体７に掛架し、前記もう一方向の線材４の略Ｕ字状折返し端部４ａを前記ベルト２ｂの一端部に設けた掛体７に掛架している。
【００２０】
この発明の顔面装着具のベルト長さ調節機構において、前記線材４は、対向する二方向に略直線状に二本ずつ配線したものとしており、前記線材４のそれぞれの一端部４ｂを前記ベルト２ａ、２ｂの一端部にそれぞれ連結している。
【００２１】
この発明の顔面装着具のベルト長さ調節機構において、前記線材４は、対向する二方向に略Ｕ字状に配線したものとしており、前記一方向の線材４の略Ｕ字状折返し端部４ａを前記ベルト２の一端部に設けた掛体７に掛架し、前記もう一方向の線材４の略Ｕ字状折返し端部４ａを前記ベルト２のもう一端部に設けた掛体７に掛架している。
【００２２】
この発明の顔面装着具のベルト長さ調節機構において、前記線材４は、対向する二方向に略直線状に二本ずつ配線したものとしており、前記一方向の線材４のそれぞれの一端部４ｂを前記ベルト２の一端部に連結し、前記もう一方向の線材４のそれぞれの一端部４ｂを前記ベルト２のもう一端部に連結している。
【００２３】
この発明の顔面装着具のベルト長さ調節機構において、前記操作部材５は、本体５ａ内部にプーリ８を備えたものとし、このプーリ８を本体５ａ外部に備えたノブ９により時計回り、又は反時計回りに回転させることにより、前記線材４をプーリ８に巻き込んだり、プーリ８から解き出したりして、その線材４の長さを調節するものとしている。
【００２４】
この発明の顔面装着具のベルト長さ調節機構において、前記操作部材５は、本体５ａに設けた丸形ラチェット歯１０ａとノブ９に設けた爪１０ｂとからなるラチェット機構１０を備えている。
【発明の効果】
【００２５】
この発明の顔面装着具のベルト長さ調節機構は、以上に述べたように構成されており、操作部材５によって線材４を巻き込んだり、解き出したりして、その線材４の長さを調節することにより、ベルト２を外装部材３に引き込んだり、引き出したりすることができるので、顔面装着具を顔面に装着した状態においても、ベルトの長さ調節の操作がし易くなった。
【００２６】
さらに、この発明の顔面装着具のベルト長さ調節機構は、前記操作部材５のプーリ８をノブ９によって徐々に回転させることにより、ベルトの長さの正確な調節、及びベルトの長さの微調節が簡単にできるようになった。
【図面の簡単な説明】
【００２７】
【図１】この発明のベルト長さ調節機構を備えた顔面装着具の斜視図である。
【図２】この発明のベルト長さ調節機構を備えた顔面装着具の平面図である。
【図３】この発明のベルト長さ調節機構の第一実施形態を側面から見た説明図であり、（ａ）はベルトを長く調節した状態を示し、（ｂ）はベルトを短く調節した状態を示している。
【図４】この発明のベルト長さ調節機構の第二実施形態を側面から見た説明図であり、（ａ）はベルトを長く調節した状態を示し、（ｂ）はベルトを短く調節した状態を示している。
【図５】この発明のベルト長さ調節機構の第三実施形態を側面から見た説明図であり、（ａ）はベルトを長く調節した状態を示し、（ｂ）はベルトを短く調節した状態を示している。
【図６】この発明のベルト長さ調節機構の操作部材の要部を分解した状態の斜視図である。
【図７】この発明のベルト長さ調節機構の第四実施形態を側面から見た説明図であり、ベルトを長く調節した状態を示している。
【図８】この発明のベルト長さ調節機構の第五実施形態を側面から見た説明図であり、ベルトを長く調節した状態を示している。
【図９】この発明のベルト長さ調節機構の第六実施形態を側面から見た説明図であり、ベルトを長く調節した状態を示している。
【図１０】この発明のベルト長さ調節機構の第七実施形態を側面から見た説明図であり、ベルトを長く調節した状態を示している。
【図１１】この発明のベルト長さ調節機構の第八実施形態を側面から見た説明図であり、ベルトを長く調節した状態を示している。
【図１２】この発明のベルト長さ調節機構の第九実施形態を側面から見た説明図であり、ベルトを長く調節した状態を示している。
【図１３】従来のベルト長さ調節機構を備えた顔面装着具の一例を示す斜視図である。
【図１４】図１３示す従来のベルト長さ調節機構の分解斜視図である。
【図１５】従来のベルト長さ調節機構を備えた顔面装着具の他の例を示す斜視図である。
【図１６】図１５示す従来のベルト長さ調節機構の分解斜視図である。
【発明を実施するための形態】
【００２８】
以下、この発明の顔面装着具のベルト長さ調節機構を実施するための形態について、図面に基づき詳細に説明する。
【００２９】
図１、２は、この発明のベルト長さ調節機構を備えた顔面装着具として、スキー用のゴーグルを示しており、レンズフレーム１の両端部には、使用者の頭部に着用するためのベルト２を装着している。そして、このベルト２には、ベルト長さ調節機構Ａを備えたものとしている。
【００３０】
前記ベルト長さ調節機構Ａは、ベルト２に外装部材３を装着しており、この外装材３には、線材４を巻き込んだり、解き出したりして、その線材４の長さを調節することにより、前記ベルト２を外装部材３に引き込んだり、外装部材３から引き出せるようにした操作部材５を設置したものとしている。このベルト長さ調節機構Ａの操作部材５は、顔面装着具の着用者の側頭部や後頭部に位置するようにして前記外装部材３の表側に設置したものとしている。
【００３１】
前記ベルト２は、図１〜５に示したものではベルト２ａとベルト２ｂの二分割体としたものとし、一方のベルト２ａの一端部を前記外装部材３の一端部においてスライド自在とし、このベルト２ａのもう一端部を前記レンズフレーム１の一端部に連結し、もう一方のベルト２ｂの一端部を前記外装部材３のもう一端部に連結し、このベルト２ｂのもう一端部を前記レンズフレーム１のもう一端部に連結している。また、前記ベルト２は、図示していないが、二分割体２ａ、２ｂとすることなく一体とし、その一端部を前記外装部材３の一端部においてスライド自在とし、もう一端部を前記レンズフレーム１の一端部に連結し、前記外装部材３のもう一端部を前記レンズフレーム１のもう一端部に連結したものとしてもよい。なお、前記ベルト２は、着用者の頭部に掛け渡されるようにしておればよく、伸縮体としても、非伸縮体としてもよいが、上下幅を１０〜５５ｍｍとするのが、スライドし易くなる等の点で好ましい。
【００３２】
前記外装部材３は、図示したものは偏平な筒状としているが、ベルト２の外側に装着できるものであれば筒状に限定されることなく、どのような形態であってもよく、布地や皮革等の縫製品としたり、ゴムや合成樹脂の成形品などとすることができ、前記ベルト２がスライドし易く、そのスライドによって、皺がよるなどの変形しない程度の強度を有しておればよい。そして、この外装部材３は、一端部においてベルト２をスライドさせて、そのベルト２をスライドさせた分の長さを調節するものとしており、このベルト２の長さ調節は１００〜２００ｍｍできれば十分であるので、前記外装部材３の長さは、操作部材５の設置スペースも考慮に入れて１５０〜２５０ｍｍにすることができるが、そのベルト２の長さ調節の程度に応じてさらに長くしたり、短くすることもできる。
【００３３】
前記線材４は、ワイヤ、紐、ケーブル等の非伸縮体としており、図１〜３に示したものでは一方向に略Ｕ字状に配線したものとしており、この線材４を、前記外装部材３の表側の前記ベルト２ｂの連結端寄りに設置された操作部材５の本体５ａの一側部の二個所から本体５ａ内に巻き込んだり、本体５ａ内から解き出したりするようにしている。そして、前記線材４は、前記外装部材３の表側に設けられた通孔６からこの外装部材３内に通して、その略Ｕ字状折返し端部４ａを前記ベルト２ａの一端部に設けた掛体７に掛架している。なお、前記線材４は、図示していないが、前記操作部材５の本体５ａの底部の二個所から本体５ａ内に巻き込んだり、本体５ａ内から解き出したりするようにすることもできる。この場合、前記外装部材３に通孔６を設ける位置は、前記操作部材５の本体５ａの下方にすることができ、前記線材４の一部や通孔６が、前記外装部材３の表側に露出することがなくなり、目立たないものとなる。
【００３４】
前記線材４は、図４に示したものでは一方向に略直線状に一本、配線したものとしており、この線材４を、前記外装部材３の表側の前記ベルト２ｂの連結端寄りに設置された操作部材５の本体５ａの一側部の一個所から本体５ａ内に巻き込んだり、本体５ａ内から解き出したりするようにしている。そして、前記線材４は、前記外装部材３の表側に設けられた通孔６からこの外装部材３内に通して、その一端部４ｂを前記ベルト２ａの一端部に連結している。なお、前記線材４は、図示していないが、前記操作部材５の本体５ａの底部の一個所から本体５ａ内に巻き込んだり、本体５ａ内から解き出したりするようにすることもできる。この場合、前記外装部材３に通孔６を設ける位置は、前記操作部材５の本体５ａの下方にすることができ、前記線材４の一部や通孔６が、前記外装部材３の表側に露出することがなくなり、目立たないものとなる。
【００３５】
前記線材４は、図５に示したものでは一方向に略直線状に二本、配線したものとしており、これらの線材４を、前記外装部材３の表側の前記ベルト２ｂの連結端寄りに設置された操作部材５の一側部の二個所から本体５ａ内に巻き込んだり、本体５ａ内から解き出したりするようにしている。そして、前記線材４は、前記外装部材３の表側に設けられた通孔６からこの外装部材３内に通して、それぞれの一端部４ｂを前記ベルト２ａの一端部にそれぞれ連結している。なお、前記線材４は、図示していないが、前記操作部材５の本体５ａの底部の二個所から本体５ａ内に巻き込んだり、本体５ａ内から解き出したりするようにすることもできる。この場合、前記外装部材３に通孔６を設ける位置は、前記操作部材５の本体５ａの下方にすることができ、前記線材４の一部や通孔６が、前記外装部材３の表側に露出することがなくなり、目立たないものとなる。
【００３６】
前記操作部材５は、図６に示したように、本体５ａ内部にプーリ８を備えたものとし、このプーリ８を本体５ａ外部に備えたノブ９により時計回り、又は反時計回りに回転させることにより、前記線材４をプーリ８に巻き込んだり、プーリ８から解き出したりして、その線材４の長さを調節するものとしており、前記ベルト２を外装部材３に引き込んだり、外装部材３から引き出せるようにしている。また、前記操作部材５は、本体５ａに設けた丸形ラチェット歯１０ａとノブ９に設けた爪１０ｂとからなるラチェット機構１０を備えており、線材４を徐々に巻き込めるようにしている。そして、前記操作部材５は、線材４をプーリ８に巻き込んだ状態で、このプーリ８を回転しないように丸形ラチェット歯１０ａと爪１０ｂとをロックしておき、プーリ８に巻き込んだ線材４を解き出すときは、この丸形ラチェット歯１０ａと爪１０ｂとのロックを解除して、プーリ８が回転するようにしている。なお、前記操作部材５の詳細な構造は省略するが、このような構造の操作部材としては、例えば日本国特許第４５１４３８３号公報、日本国特許第５０４８０９６号公報、米国特許第７９５４２０４号公報、米国特許第８２７７４０１号公報に示されているもの等が存在する。
【００３７】
さらに、前記ベルト２は、図７〜１０に示したものではベルト２ａとベルト２ｂの二分割体とし、一方のベルト２ａの一端部を前記外装部材３の一端部においてスライド自在とし、このベルト２ａのもう一端部を前記レンズフレーム１の一端部に連結し、もう一方のベルト２ｂの一端部を前記外装部材３のもう一端部においてスライド自在とし、このベルト２ｂのもう一端部を前記レンズフレーム１のもう一端部に連結している。なお、前記ベルト２は、着用者の頭部に掛け渡されるようにしておればよく、伸縮体としても、非伸縮体としてもよいが、上下幅を１０〜５５ｍｍとするのが、スライドし易くなる等の点で好ましい。
【００３８】
前記外装部材３は、図示したものは偏平な筒状としているが、ベルト２の外側に装着できるものであれば筒状に限定されることなく、どのような形態であってもよく、布地や皮革等の縫製品としたり、ゴムや合成樹脂の成形品などとすることができ、前記ベルト２ａ、２ｂがスライドし易く、そのスライドによって、皺がよるなどの変形しない程度の強度を有しておればよい。そして、この外装部材３は、両端部においてベルト２ａ、２ｂをスライドさせて、これらベルト２ａ、２ｂをスライドさせた分の長さを調節するものとしており、このベルト２ａ、２ｂの長さ調節はそれぞれ５０〜１００ｍｍできれば十分であるので、前記外装部材３の長さは、操作部材５の設置スペースも考慮に入れて１５０〜２５０ｍｍにすることができるが、そのベルト２の長さ調節の程度に応じてさらに長くしたり、短くすることもできる。
【００３９】
前記線材４は、ワイヤ、紐、ケーブル等の非伸縮体としており、図７に示したものでは対向する二方向に略直線状に一本ずつ配線したものとしており、これらの線材４を、前記外装部材３の表側の略中央部に設置された操作部材５の対向する側部のそれぞれ一個所から本体５ａ内に巻き込んだり、本体５ａ内から解き出したりするようにしている。そして、前記線材４は、前記外装部材３の表側に設けられた通孔６からこの外装部材３内に通して、それぞれの一端部４ｂを前記ベルト２ａ、２ｂの一端部にそれぞれ連結している。なお、前記線材４は、図示していないが、前記操作部材５の本体５ａの底部の二個所から本体５ａ内に巻き込んだり、本体５ａ内から解き出したりするようにすることもできる。この場合、前記外装部材３に通孔６を設ける位置は、前記操作部材５の本体５ａの下方にすることができ、前記線材４の一部や通孔６が、前記外装部材３の表側に露出することがなくなり、目立たないものとなる。
【００４０】
前記線材４は、図８に示したものでは対向する二方向に略Ｕ字状に配線したものとしており、これらの線材４を、前記外装部材３の表側の略中央部に設置された操作部材５の対向する側部のそれぞれ一個所から本体５ａ内に巻き込んだり、本体５ａ内から解き出したりするようにしている。そして、前記一方向の線材４は、前記外装部材３の表側に設けられた通孔６からこの外装部材３内に通して、略Ｕ字状折返し端部４ａを前記ベルト２ａの一端部に設けた掛体７に掛架し、この線材４の一端部４ｂを前記外装部材３の操作部材５寄りに固定し、前記もう一方向の線材４の略Ｕ字状折返し端部４ａを前記ベルト２ｂの一端部に設けた掛体７に掛架し、この線材４の一端部４ｂを前記外装部材３の操作部材５寄りに固定している。また、前記線材４のそれぞれの一端部４ｂは、図示していないが、前記外装部材３の操作部材５寄りに固定することなく、前記操作部材５の本体５ａに固定してもよい。なお、前記線材４は、図示していないが、前記操作部材５の本体５ａの底部の二個所から本体５ａ内に巻き込んだり、本体５ａ内から解き出したりするようにすることもできる。この場合、前記外装部材３に通孔６を設ける位置は、前記操作部材５の本体５ａの下方にすることができ、前記線材４の一部や通孔６が、前記外装部材３の表側に露出することがなくなり、目立たないものとなる。
【００４１】
前記線材４は、図９に示したものでは対向する二方向に略Ｕ字状に配線したものとしており、これらの線材４を、前記外装部材３の表側の略中央部に設置された操作部材５の対向する側部のそれぞれ二個所から本体５ａ内に巻き込んだり、本体５ａ内から解き出したりするようにしている。そして、前記線材４は、前記外装部材３の表側に設けられた通孔６からこの外装部材３内に通して、一方向の線材４の略Ｕ字状折返し端部４ａを前記ベルト２ａの一端部に設けた掛体７に掛架し、もう一方向の線材４の略Ｕ字状折返し端部４ａを前記ベルト２ｂの一端部に設けた掛体７に掛架している。なお、前記線材４は、図示していないが、前記操作部材５の本体５ａの底部の四個所から本体５ａ内に巻き込んだり、本体５ａ内から解き出したりするようにすることもできる。この場合、前記外装部材３に通孔６を設ける位置は、前記操作部材５の本体５ａの下方にすることができ、前記線材４の一部や通孔６が、前記外装部材３の表側に露出することがなくなり、目立たないものとなる。
【００４２】
前記線材４は、図１０に示したものでは対向する二方向に略直線状に二本ずつ配線したものとしており、これらの線材４を、前記外装部材３の表側の略中央部に設置された操作部材５の対向する側部のそれぞれ二個所から本体５ａ内に巻き込んだり、本体５ａ内から解き出したりするようにしている。そして、前記線材４は、前記外装部材３の表側に設けられた通孔６からこの外装部材３内に通して、それぞれの一端部４ｂを前記ベルト２ａ、２ｂの一端部にそれぞれ連結している。なお、前記線材４は、図示していないが、前記操作部材５の本体５ａの底部の四個所から本体５ａ内に巻き込んだり、本体５ａ内から解き出したりするようにすることもできる。この場合、前記外装部材３に通孔６を設ける位置は、前記操作部材５の本体５ａの下方にすることができ、前記線材４の一部や通孔６が、前記外装部材３の表側に露出することがなくなり、目立たないものとなる。
【００４３】
また、前記ベルト２は、図１１に示したものではベルト２ａとベルト２ｂの二分割体とすることなく一体とし、前記外装部材３を二個、備えたものとし、このベルト２の両端部を前記外装部材３のそれぞれの一端部においてスライド自在とし、前記外装部材３のそれぞれのもう一端部を前記レンズフレーム１の両端部にそれぞれ連結している。なお、前記ベルト２は、着用者の頭部に掛け渡されるようにしておればよく、伸縮体としても、非伸縮体としてもよいが、上下幅を１０〜５５ｍｍとするのが、スライドし易くなる等の点で好ましい。
【００４４】
前記外装部材３は、図示したものはそれぞれ偏平な筒状としているが、ベルト２の外側に装着できるものであれば筒状に限定されることなく、どのような形態であってもよく、布地や皮革等の縫製品としたり、ゴムや合成樹脂の成形品などとすることができ、前記ベルト２がスライドし易く、そのスライドによって、皺がよるなどの変形しない程度の強度を有しておればよい。そして、この外装部材３は、それぞれの一端部においてベルト２をスライドさせて、前記ベルト２をスライドさせた分の長さを調節するものとしており、このベルト２の長さ調節は１００〜２００ｍｍできれば十分であるので、前記外装部材３の長さは、操作部材５の設置スペースも考慮に入れてそれぞれ１００〜１５０ｍｍにすることができるが、そのベルト２の長さ調節の程度に応じてさらに長くしたり、短くすることもできる。
【００４５】
前記線材４は、ワイヤ、紐、ケーブル等の非伸縮体としており、図１１に示したものでは対向する二方向に略Ｕ字状に配線したものとしており、これらの線材４を、前記二個の外装部材３のそれぞれの表側の前記レンズフレーム１の連結端寄りに設置されたそれぞれの操作部材５の対向する側部のそれぞれ二個所から本体５ａ内に巻き込んだり、本体５ａ内から解き出したりするようにしている。そして、前記線材４は、前記外装部材３の表側に設けられたそれぞれの通孔６からこれら外装部材３内に通して、一方向の線材４の略Ｕ字状折返し端部４ａを前記ベルト２の一端部に設けた掛体７に掛架し、もう一方向の線材４の略Ｕ字状折返し端部４ａを前記ベルト２のもう一端部に設けた掛体７に掛架している。なお、前記線材４は、図示していないが、前記二個の操作部材５の本体５ａの底部のそれぞれの二個所から本体５ａ内に巻き込んだり、本体５ａ内から解き出したりするようにすることもできる。この場合、前記外装部材３に通孔６を設ける位置は、前記操作部材５の本体５ａの下方にすることができ、前記線材４の一部や通孔６が、前記外装部材３の表側に露出することがなくなり、目立たないものとなる。
【００４６】
前記線材４は、図１２に示したものでは対向する二方向に略直線状に二本ずつ配線したものとしており、これらの線材４を、前記二個の外装部材３のそれぞれの表側の前記レンズフレーム１の連結端寄りに設置されたそれぞれの操作部材５の対向する側部のそれぞれ二個所から本体５ａ内に巻き込んだり、本体５ａ内から解き出したりするようにしている。そして、前記線材４は、前記外装部材３の表側に設けられたそれぞれの通孔６からこれら外装部材３内に通して、一方向の線材４のそれぞれの一端部４ｂを前記ベルト２の一端部に連結し、もう一方向の線材４のそれぞれの一端部４ｂを前記ベルト２のもう一端部に連結している。なお、前記線材４は、図示していないが、前記二個の操作部材５の本体５ａの底部のそれぞれの二個所から本体５ａ内に巻き込んだり、本体５ａ内から解き出したりするようにすることもできる。この場合、前記外装部材３に通孔６を設ける位置は、前記操作部材５の本体５ａの下方にすることができ、前記線材４の一部や通孔６が、前記外装部材３の表側に露出することがなくなり、目立たないものとなる。
【００４７】
以上のように構成したこの発明の顔面装着具のベルト長さ調節機構は、図示した何れの実施形態においても、ベルトの長さを調節する場合には、顔面装着具を顔面に装着した状態において、着用者の側頭部や後頭部に位置する操作部材５によって線材４を巻き込んだり、解き出したりして、その線材４の長さを調節することにより、ベルト２を外装部材３に引き込んだり、引き出したりすることができる。
【００４８】
したがって、この発明の顔面装着具のベルト長さ調節機構は、顔面装着具を顔面から取り外した状態においては勿論、顔面装着具を顔面に装着した状態においても、ベルトの長さ調節の操作がし易いものとなった。
【００４９】
さらに、この発明の顔面装着具のベルト長さ調節機構は、顔面装着具を顔面に装着した状態において、着用者の側頭部や後頭部に位置する操作部材５のプーリ８をノブ９によって徐々に回転させることにより、線材４を徐々に巻き込んだり、解き出したりして、その線材４の長さを調節することにより、ベルト２を外装部材３に徐々に引き込んだり、引き出したりすることができる。
【００５０】
したがって、この発明の顔面装着具のベルト長さ調節機構は、顔面装着具を顔面から取り外した状態においては勿論、顔面装着具を顔面に装着した状態においても、ベルトの長さの正確な調節、及びベルトの長さの微調節が簡単にできるものとなった。
【符号の説明】
【００５１】
２  ベルト
２ａ  ベルト
２ｂ  ベルト
３  外装部材
４  線材
４ａ  略Ｕ字状折返し端部
４ｂ  一端部
５    操作部材
５ａ  本体
７  掛体
８  プーリ
９  ノブ
１０  ラチェット機構
１０ａ  丸形ラチェット歯
１０ｂ  爪
【図１】
2014155591.tif 000003
【図２】
2014155591.tif 000004
【図３】
2014155591.tif 000005
【図４】
2014155591.tif 000006
【図５】
2014155591.tif 000007
【図６】
2014155591.tif 000008
【図７】
2014155591.tif 000009
【図８】
2014155591.tif 000010
【図９】
2014155591.tif 000011
【図１０】
2014155591.tif 000012
【図１１】
2014155591.tif 000013
【図１２】
2014155591.tif 000014
【図１３】
2014155591.tif 000015
【図１４】
2014155591.tif 000016
【図１５】
2014155591.tif 000017
【図１６】
2014155591.tif 000018